(57)【要約】  ＰＴＴ通信開始処理において、携帯電話装置の電話帳リストから発言回数の多い人を見つけるのに、手間がかからないようにする。情報受信手段２０は、他の携帯電話装置からサーバを介して音声信号を受信する。発言音声出力制御手段２１は、発言者の音声をスピーカーに出力するとともに、その名前を表示部に出力する。発言回数カウントアップ手段２２は、電話帳リストにおける発言者の発言回数をカウントアップする。ＰＴＴ通信終了手段２３はＰＴＴ通信の終了処理を行う。電話帳リスト並べ替え手段２４は、発言回数の多い順に電話帳リストにおける電話帳登録者を並び替える。【特許請求の範囲】
【請求項１】
他の電子通信機器の電話番号を記載した電話帳リストを有する複数の電子通信機器がネットワークを介して相互にコミュニケーションを行う場合に、
前記複数の電子通信機器の各々は他の電子通信機器の発言回数を基にして前記電話帳リストに所定の操作を加えることを特徴とする電子通信機器の電話帳リスト操作方法。
【請求項２】
前記ネットワークを介したコミュニケーションがＰＴＴ通信であることを特徴とする請求項１に記載の電子通信機器の電話帳リスト操作方法。
【請求項３】
前記所定の操作は、前記発言回数の多い順に前記電話帳リストに記載されている他の電子通信機器の順番を並べ替えるものであることを特徴とする請求項１または２に記載の電子通信機器の電話帳リスト操作方法。
【請求項４】
他の電子通信機器の電話番号を記載した電話帳リストを有する複数の電子通信機器がネットワーク及びサーバを介して相互にＰＴＴ通信を行う場合の電話帳リスト操作方法であって、
発言側の電子通信機器から送られた音声を前記サーバが受信し、前記サーバが前記音声を前記発言側の電子通信機器以外の電子通信機器に同報通信すると、前記音声を受信する電子通信機器は発言回数を基にして前記電話帳リストに記載されている他の電子通信機器の電話番号を並べ替えることを特徴とするＰＴＴ通信における電話帳リスト操作方法。
【請求項５】
他の電子通信機器の電話番号を記載した電話帳リストを有する複数の電子通信機器がネットワーク及びサーバを介して相互にＰＴＴ通信を行う場合の電話帳リスト操作方法であって、
前記複数の電子通信機器の各々が他の電子通信機器から前記サーバを介して音声を受信した際に、自機に具備する電話帳リストにおける前記他の電子通信機器からの発言回数をカウントアップする過程と、
予め定められたイベントが発生した時に前記電話帳リストに所定の操作を加える過程と、
を備えることを特徴とする電子通信機器の電話帳リスト操作方法。
【請求項６】
前記所定の操作が、前記発言回数の多い順に前記電話帳リストに登録された他の電子通信機器の順番を並び替えることを特徴とする請求項５に記載の電子通信機器の電話帳リスト操作方法。
【請求項７】
他の電子通信機器の電話番号を記載した電話帳リストを有する複数の電子通信機器がネットワーク及びサーバを介して相互にＰＴＴ通信を行う場合の電話帳リスト操作方法であって、
発言側の電子通信機器から送られた音声を前記サーバが受信する過程と、
前記サーバが前記音声を前記発言側の電子通信機器以外の電子通信機器に同報通信する過程と、
前記音声を受信する電子通信機器が自機に具備する電話帳リストにおける前記他の電子通信機器からの発言回数をカウントアップする過程と、
予め定められたイベントが発生した時に前記電話帳リストに所定の操作を加える過程と、
を備えることを特徴とするＰＴＴ通信における電子通信機器の電話帳リスト操作方法。
【請求項８】
前記イベントがＰＴＴ通信終了であることを特徴とする請求項５乃至７の何れか一項に記載の電子通信機器の電話帳リスト操作方法。
【請求項９】
前記電子通信機器が携帯電話装置であることを特徴とする請求項１乃至８の何れか一項に記載の電子通信機器の電話帳リスト操作方法。
【請求項１０】
ネットワークを介して他の電子通信機器とコミュニケーションを行い、前記他の電子通信機器の電話番号を記載した電話帳リストを有する電子通信機器であって、
前記他の電子通信機器の発言回数を基にして前記電話帳リストに所定の操作を加える電話帳リスト操作手段を備えることを特徴とする電子通信機器。
【請求項１１】
前記ネットワークを介したコミュニケーションがＰＴＴ通信であることを特徴とする請求項１０に記載の電子通信機器。
【請求項１２】
ネットワーク及びサーバを介して他の電子通信機器とコミュニケーションを行い、前記他の電子通信機器の電話番号を記載した電話帳リストを有する電子通信機器であって、
前記サーバを介して前記他の電子通信機器から音声信号を受信する情報受信手段と、
前記サーバを介して前記音声信号を受信した場合に、自機に具備する電話帳リストにおける前記他の電子通信機器の発言回数をカウントアップする発言回数カウントアップ手段と、
予め定められたイベントが発生した時に前記電話帳リストに所定の操作を加える電話帳リスト操作手段と、
を備えることを特徴とする電子通信機器。
【請求項１３】
前記所定の操作が、前記発言回数の多い順に前記電話帳リストにおける他の電子通信機器の順番を並び替えることを特徴とする請求項１０乃至１２の何れか一項に記載の電子通信機器。
【請求項１４】
前記イベントがＰＴＴ通信終了であることを特徴とする請求項１２に記載の電子通信機器。
【請求項１５】
前記電子通信機器が携帯電話装置であることを特徴とする請求項１０乃至１４の何れか一項に記載の電子通信機器。
【請求項１６】
他の電子通信機器の電話番号を記載した電話帳リストを有する複数の電子通信機器がネットワークを介して相互にコミュニケーションを行うＰＴＴ通信システムにおいて、
発言側の電子通信機器から送られた音声信号を受信し、前記音声信号を前記発言側の電子通信機器以外の電子通信機器に同報通信するサーバと、
前記音声信号を受信すると、前記他の電子通信機器の発言回数を基にして前記電話帳リストに所定の操作を加える受信側の電子通信機器と、
から構成されることを特徴とするＰＴＴ通信システム。
【請求項１７】
他の電子通信機器の電話番号を記載した電話帳リストを有する複数の電子通信機器がネットワークを介して相互にコミュニケーションを行うＰＴＴ通信システムにおいて、
発言側の電子通信機器から送られた音声信号を受信し、前記音声信号を前記発言側の電子通信機器以外の電子通信機器に同報通信するサーバと、
前記音声信号を受信する受信側電子通信機器と、
から構成されるＰＴＴ通信システムであって、
前記受信側電子通信機器は、
前記サーバを介して前記音声信号を受信する情報受信手段と、
前記音声信号を受信した場合に自機に具備する前記電話帳リストにおける前記発言側の電子通信機器からの発言回数をカウントアップする発言回数カウントアップ手段と、
予め定められたイベントが発生した時に前記電話帳リストに所定の操作を加える電話帳リスト操作手段と、
を備えるものであるＰＴＴ通信システム。
【請求項１８】
前記イベントがＰＴＴ通信終了であることを特徴とする請求項１７に記載のＰＴＴ通信システム。
【請求項１９】
前記電子通信機器が携帯電話装置であることを特徴とする請求項１６乃至１８の何れか一項に記載のＰＴＴ通信システム。
【請求項２０】
中央処理装置及びメモリを備える電子通信機器の前記メモリに記憶され、請求項１乃至９の何れか一項に記載の電子通信機器の電話帳リスト操作方法を前記中央処理装置に実行させるためのプログラム。
【発明の詳細な説明】
【技術分野】
【０００１】
本発明は、電子通信機器の電話帳リスト操作方法、電子通信機器、ＰＴＴ通信における電話帳リスト操作方法及びＰＴＴ通信システムに関し、特に、ＰＴＴ通信における発言回数を基にして電話帳リストを並べ替える電子通信機器の電話帳リスト操作方法、電子通信機器、ＰＴＴ通信における電話帳リスト操作方法、ＰＴＴ通信システム及び前記方法を実施させるためのプログラムに関する。
【背景技術】
【０００２】
携帯電話装置及びインターネットの普及に伴い、携帯電話装置を用いたＰＴＴ（Ｐｕｓｈ  ｔｏ  Ｔａｌｋ）通信が実用化されようとしている（例えば、特許文献１参照。）。このＰＴＴ通信は、ＶｏＩＰ技術とパケット交換技術とを利用し、半二重の通話により、多くの人への同報通話（放送）を可能とするサービスである。【０００３】
ＰＴＴ通信は以下のようにして行われる。【０００４】
先ず、ＰＴＴ通信開始発信者が事前に登録してあるＰＴＴ通信メンバーとの間でＰＴＴ通信開始処理を行わなければならない。【０００５】
そのためには、ＰＴＴ通信開始発信者は自己の携帯端末装置において、電話帳リストを画面に表示し、事前に登録してあるＰＴＴ通信の通話相手を電話帳リストから選択する。【０００６】
通話相手の選択は任意に行うことができる。例えば、職場の同僚、同年代の友人などを選択することができる。一般的には、通話相手を電話帳リストから選択する場合、発言回数の多い人、すなわち、ＰＴＴ通信を頻繁に行う人を選択する場合が多い。【０００７】
その後、専用のキー（若しくは、専用に割り当てられたキー）を押すことにより、サーバに対して、ＰＴＴ呼発信要求を行う。【０００８】
ＰＴＴ呼発信要求を受けたサーバは、携帯端末装置とサーバとの間において、ＳＩＰ（Ｓｅｓｓｉｏｎ  Ｉｎｉｔｉａｔｉｏｎ  Ｐｒｏｔｏｃｏｌ）によるＰＴＴ通信の確立を行う。【０００９】
次に、サーバは発信側の携帯端末装置から要求されたＰＴＴ通信参加相手の携帯端末装置に対して、ＰＴＴ参加要求を行う。【００１０】
ＰＴＴ参加要求を受けた各携帯端末装置は参加の可否をサーバに対して返答する。【００１１】
サーバは、参加可能の返答を送信してきた携帯端末装置との間でＳＩＰによるＰＴＴ通信の確立を行う。【００１２】
これにより、ＰＴＴ呼発信要求した携帯端末装置と参加可能をサーバに応答した各携帯端末装置との間において、ＰＴＴ通信による通話（発言）が可能となる。【００１３】
通話（発言）したいユーザは、携帯端末装置に具備されている専用のキー（若しくは、専用に割り当てられたキー）を押下することにより、サーバに対して発言権を要求することができる。ただし、既に他のユーザが発言権を取得している場合は、発言権の取得を行うことはできない。【００１４】
サーバから発言権を許可された場合、発言権を許可されたユーザは、前述のキーを押下し続けている間、発言を行うことができる。発言はサーバからＰＴＴ通信に参加している他の携帯端末装置へ同報送信され、各携帯端末装置のユーザに音声出力される。【００１５】
なお、同報通信される情報には、音声情報の他に、発言者の電話番号も含まれる。すなわち、発言者の電話番号も音声情報とともに各携帯端末装置に送られ、発言者の電話番号は各携帯端末装置の表示画面に表示される。このため、各ユーザは、受信した携帯電話装置において、音声を聞くとともに、発言者を表示画面上で知ることができる。
【特許文献１】特表２００２−５３６９２８号公報
【発明の開示】
【発明が解決しようとする課題】
【００１６】
上述した従来のＰＴＴ通信開始処理において、携帯端末装置に備えられている電話帳リストから、発言回数の多い人を見つけるには、頁切り替えやスクロール操作が多く、手間がかかるという問題がある。【００１７】
その理由は、携帯端末装置における電話帳リストはアルファベット順または５０音順といった固定的な表示である。そのため、ＰＴＴ通信での発言が多い参加者がリストの下の方や次頁に表示される場合があるためである。【００１８】
本発明はこのような問題に鑑みてなされたものであり、ＰＴＴ通信開始処理において、通話相手を探す際の電話帳リストの頁切替またはスクロール操作を低減することを可能にする電子通信機器の電話帳リスト操作方法、電子通信機器、ＰＴＴ通信における電話帳リスト操作方法、ＰＴＴ通信システム及び前記方法を実施するためのプログラムを提供することを目的とする。
【課題を解決するための手段】
【００１９】
上記の目的を達成するため、本発明は、他の電子通信機器の電話番号を記載した電話帳リストを有する複数の電子通信機器がネットワークを介して相互にコミュニケーションを行う場合に、前記複数の電子通信機器の各々は他の電子通信機器の発言回数を基にして前記電話帳リストに所定の操作を加えることを特徴とする電子通信機器の電話帳リスト操作方法を提供する。【００２０】
前記ネットワークを介したコミュニケーションとは、例えば、ＰＴＴ通信であることを特徴とする。【００２１】
前記所定の操作は、例えば、前記発言回数の多い順に前記電話帳リストに記載されている他の電子通信機器の順番を並べ替えることからなる。【００２２】
さらに、本発明は、他の電子通信機器の電話番号を記載した電話帳リストを有する複数の電子通信機器がネットワーク及びサーバを介して相互にＰＴＴ通信を行う場合の電話帳リスト操作方法であって、発言側の電子通信機器から送られた音声を前記サーバが受信し、前記サーバが前記音声を前記発言側の電子通信機器以外の電子通信機器に同報通信すると、前記音声を受信する電子通信機器は発言回数を基にして前記電話帳リストに記載されている他の電子通信機器の電話番号を並べ替えることを特徴とするＰＴＴ通信における電話帳リスト操作方法を提供する。【００２３】
さらに、本発明は、他の電子通信機器の電話番号を記載した電話帳リストを有する複数の電子通信機器がネットワーク及びサーバを介して相互にＰＴＴ通信を行う場合の電話帳リスト操作方法であって、前記複数の電子通信機器の各々が他の電子通信機器から前記サーバを介して音声を受信した際に、自機に具備する電話帳リストにおける前記他の電子通信機器からの発言回数をカウントアップする過程と、予め定められたイベントが発生した時に前記電話帳リストに所定の操作を加える過程と、を備えることを特徴とする電子通信機器の電話帳リスト操作方法を提供する。【００２４】
前記所定の操作は、例えば、前記発言回数の多い順に前記電話帳リストに登録された他の電子通信機器の順番を並び替えることからなる。【００２５】
さらに、本発明は、他の電子通信機器の電話番号を記載した電話帳リストを有する複数の電子通信機器がネットワーク及びサーバを介して相互にＰＴＴ通信を行う場合の電話帳リスト操作方法であって、発言側の電子通信機器から送られた音声を前記サーバが受信する過程と、前記サーバが前記音声を前記発言側の電子通信機器以外の電子通信機器に同報通信する過程と、前記音声を受信する電子通信機器が自機に具備する電話帳リストにおける前記他の電子通信機器からの発言回数をカウントアップする過程と、予め定められたイベントが発生した時に前記電話帳リストに所定の操作を加える過程と、を備えることを特徴とするＰＴＴ通信における電子通信機器の電話帳リスト操作方法を提供する。【００２６】
前記イベントとしては、例えば、ＰＴＴ通信終了を選択することができる。【００２７】
前記電子通信機器としては、例えば、携帯電話装置を用いることができる。【００２８】
さらに、本発明は、ネットワークを介して他の電子通信機器とコミュニケーションを行い、前記他の電子通信機器の電話番号を記載した電話帳リストを有する電子通信機器であって、前記他の電子通信機器の発言回数を基にして前記電話帳リストに所定の操作を加える電話帳リスト操作手段を備えることを特徴とする電子通信機器を提供する。【００２９】
上記の電子通信機器においては、前記ネットワークを介したコミュニケーションは、例えば、ＰＴＴ通信である。【００３０】
さらに、本発明は、ネットワーク及びサーバを介して他の電子通信機器とコミュニケーションを行い、前記他の電子通信機器の電話番号を記載した電話帳リストを有する電子通信機器であって、前記サーバを介して前記他の電子通信機器から音声信号を受信する情報受信手段と、前記サーバを介して前記音声信号を受信した場合に、自機に具備する電話帳リストにおける前記他の電子通信機器の発言回数をカウントアップする発言回数カウントアップ手段と、予め定められたイベントが発生した時に前記電話帳リストに所定の操作を加える電話帳リスト操作手段と、を備えることを特徴とする電子通信機器を提供する。【００３１】
前記所定の操作は、例えば、前記発言回数の多い順に前記電話帳リストにおける他の電子通信機器の順番を並び替えることからなる。【００３２】
上記の電子通信機器においては、前記イベントは、例えば、ＰＴＴ通信終了である。【００３３】
前記電子通信機器は、例えば、携帯電話装置として構成することができる。【００３４】
本発明は、さらに、他の電子通信機器の電話番号を記載した電話帳リストを有する複数の電子通信機器がネットワークを介して相互にコミュニケーションを行うＰＴＴ通信システムにおいて、発言側の電子通信機器から送られた音声信号を受信し、前記音声信号を前記発言側の電子通信機器以外の電子通信機器に同報通信するサーバと、前記音声信号を受信すると、前記他の電子通信機器の発言回数を基にして前記電話帳リストに所定の操作を加える受信側の電子通信機器と、から構成されることを特徴とするＰＴＴ通信システムを提供する。【００３５】
本発明は、さらに、他の電子通信機器の電話番号を記載した電話帳リストを有する複数の電子通信機器がネットワークを介して相互にコミュニケーションを行うＰＴＴ通信システムにおいて、発言側の電子通信機器から送られた音声信号を受信し、前記音声信号を前記発言側の電子通信機器以外の電子通信機器に同報通信するサーバと、前記音声信号を受信する受信側電子通信機器と、から構成されるＰＴＴ通信システムであって、前記受信側電子通信機器は、前記サーバを介して前記音声信号を受信する情報受信手段と、前記音声信号を受信した場合に自機に具備する前記電話帳リストにおける前記発言側の電子通信機器からの発言回数をカウントアップする発言回数カウントアップ手段と、予め定められたイベントが発生した時に前記電話帳リストに所定の操作を加える電話帳リスト操作手段と、を備えるものであるＰＴＴ通信システムを提供する。【００３６】
上記のＰＴＴ通信システムにおいて、前記イベントは、例えば、ＰＴＴ通信終了である。【００３７】
上記のＰＴＴ通信システムにおいて、前記電子通信機器は、例えば、携帯電話装置として構成される。【００３８】
さらに、本発明は、中央処理装置及びメモリを備える電子通信機器の前記メモリに記憶され、上述の電子通信機器の電話帳リスト操作方法を前記中央処理装置に実行させるためのプログラムを提供する。
【発明の効果】
【００３９】
本発明によれば、ＰＴＴ通信開始処理において、電子通信機器で参照する電話帳リストから発言回数の多い人を見つけるのに、手間がかからないという効果がある。【００４０】
その理由は、本発明においては、ＰＴＴ通信時において、各電子通信機器において発言者毎の発言回数をカウントし、カウントされた発言回数のデータを用いて、発言回数の多い順に電話帳リストを並べ替えるようにしたからである。
【図面の簡単な説明】
【００４１】
【図１】本発明の一実施形態に係る携帯電話装置のブロック図である。
【図２】本発明の一実施形態に係る携帯電話装置における携帯電話装置のＣＰＵ（図１）及びＲＯＭ（図１）の機能を示すブロック図である。
【図３】本発明の一実施形態に係る携帯電話装置におけるＣＰＵの動作を示す動作フロー図である。
【図４】本発明の一実施形態に係る携帯電話装置において、並べ替え前の表示画面を示す概略図である。
【図５】本発明の一実施形態に係る携帯電話装置における電話帳リストの一例を示す説明図である。
【図６】本発明の一実施形態に係る携帯電話装置における電話帳リストの一例を示す説明図である。
【図７】本発明の一実施形態に係る携帯電話装置における電話帳リストの一例を示す説明図である。
【図８】本発明の一実施形態に係る携帯電話装置において、並べ替え後の表示画面を示す概略図である。
【符号の説明】
【００４２】
１    携帯電話装置
２    ＣＰＵ
３    ＲＯＭ
４    作業用メモリ
５    不揮発メモリ
６    送受信部
７    入力部
８    入力キー
９    表示制御部
１０    表示部
１１    マイク
１２    スピーカー
１３    バス
２０    情報受信手段
２１    発言音声出力制御手段
２２    発言回数カウントアップ手段
２３    ＰＴＴ通信終了手段
２４    電話帳リスト並べ替え手段
【発明を実施するための最良の形態】
【００４３】
次に、本発明を実施するための最良の形態について図面を参照して詳細に説明する。【００４４】
本実施形態に係る電子通信機器は携帯電話装置として構成されているものとする。【００４５】
また、以降の実施の形態の説明においては、発明の背景で説明したＰＴＴ通信開始処理はすでになされていることを前提とする。即ち、ＰＴＴ呼発信要求した携帯端末装置と参加可能をサーバに応答した各携帯端末装置との間において、ＰＴＴ通信での通話（発言）が可能な状態にあるとする。【００４６】
図１は本発明の一実施形態に係る携帯電話装置の回路構成を示すブロック図である。【００４７】
本実施形態に係る携帯電話装置１は、ＣＰＵ（中央処理装置）２と、データ格納用メモリ３と、作業用メモリ４と、不揮発メモリ５と、送受信部６と、入力部７と、入力キー８と、表示制御部９と、表示部１０と、マイクロホン１１と、スピーカー１２と、ＣＰＵ２と他の構成要素とを接続するバス１３と、から構成されている。【００４８】
データ格納用メモリ３はリード・オンリ・メモリ（ＲＯＭ）からなり、ＣＰＵ２が実行するための各種の制御用プログラムその他の固定的なデータを格納している。【００４９】
作業用メモリ４はランダム・アクセス・メモリ（ＲＡＭ）によって構成されており、ＣＰＵ２がプログラムを実行する上で一時的に必要とされるデータを格納するようになっている。【００５０】
不揮発メモリ５はデータの消去、書き込みを自由に行うことができ、電源を切っても内容が消えない半導体メモリである。不揮発メモリ５には、電話帳リスト（名前、電話番号、メールアドレス、ＰＴＴ通信における発言回数などが記載されているリスト）や各種設定値、ユーザデータなどを保持できるようになっている。【００５１】
送受信部６は、無線によって着信や発信、通話、通信を行う回路である。【００５２】
入力部７はユーザーによる入力キー８からのキー入力を検知する回路である。例えば、ＰＴＴ通信において発言を行う場合、入力キー８のうち、所定のキー（専用のキー或いはオフフックキーなど）を押下し、または、押下し続け、発言権の取得を行うことが必要である。【００５３】
表示制御部９は、表示部１０の表示を制御する制御回路である。表示部１０は、本実施形態に係る携帯電話装置本体の前面に配置されており、白黒あるいはカラーの液晶表示パネルあるいは有機ＥＬ（電子蛍光）パネルその他の表示装置から構成されている。【００５４】
マイクロホン１１は、音声を送話するための装置である。【００５５】
スピーカー１２は、メロディ・音声・確認音等を鳴動するための装置である。【００５６】
図２は、本実施形態に係る携帯電話装置１におけるＣＰＵ２及びデータ格納用メモリ３の機能を示すブロック図である。【００５７】
図２に示されるように、ＣＰＵ２及びデータ格納用メモリ３は、機能的には、情報受信手段２０と、発言音声出力制御手段２１と、発言回数カウントアップ手段２２と、ＰＴＴ通信終了手段２３と、電話帳リスト並べ替え手段２４とを構成している。【００５８】
ＣＰＵ２は、さらに、モバイル通信制御のためのモバイル通信制御手段をも含むが、図２では省略されている。図２における三角の印は、バス１３を示すものとする。【００５９】
情報受信手段２０は、サーバから、発言者の音声や制御情報などを受信する手段である。情報受信手段２０はバス１３を介して送受信部６に接続されている。【００６０】
発言音声出力制御手段２１は、サーバからの受信情報が発言者の音声である場合、音声をスピーカー１２に出力するとともに、受信情報に含まれる発言者の電話番号から電話帳リストを元に名前を取り出し、発言者の名前を表示部１０に出力する。発言音声出力制御手段２１はバス１３を介してスピーカー１２に接続されている。【００６１】
発言音声出力制御手段２１は、さらに、発言回数カウントアップ手段２２を起動する。【００６２】
発言回数カウントアップ手段２２は、起動されると、電話帳リスト（具体的構成は後述する）に挙げられている発言者の発言回数をカウントアップし、カウントした発言回数を情報受信手段２０に送信する。【００６３】
ＰＴＴ通信終了手段２３は、サーバからの受信情報がＰＴＴ終了通知であった場合に情報受信手段２０によって起動され、サーバとの間のセッションを解放するなど、従来のＰＴＴ通信の終了処理を行う。【００６４】
ＰＴＴ通信終了手段２３は、さらに、電話帳リスト並べ替え手段２４を起動する。【００６５】
電話帳リスト並べ替え手段２４は、起動されると、電話帳リストにおける登録者の発言回数の多い順に電話帳リストを並べ替える。【００６６】
尚、特許請求の範囲に記載されている電話帳リスト操作手段は、電話帳リスト並べ替え手段２４に相当する。【００６７】
図３は、本実施形態に係る携帯電話装置１のＣＰＵ２の動作を示す動作フロー図である。【００６８】
本実施形態に係る携帯電話装置１においては、ユーザーが入力キー８のうちのＰＴＴ通信開始のための所定のキーを操作すると、ＰＴＴ通信開始要求を示すキー情報が入力部７からＣＰＵ２に転送される。これにより、ＣＰＵ２は、サーバとのセッションを確立し、ＰＴＴ通信を確立するため、送受信部６を介してＳＩＰを実行する。【００６９】
これにより、図示しないＰＴＴサーバと接続され、ＰＴＴ通信が開始される（ステップＳ１）。【００７０】
次に、携帯電話装置１は送受信部６を介してサーバから情報を受信し（ステップＳ２）、受信された情報はＣＰＵ２に転送される。【００７１】
次いで、情報受信手段２０は受信した情報が発信者の音声を示す音声信号であるか、ＰＴＴ通信の終了を指示するＰＴＴ通信終了信号であるかを判別する（ステップＳ３）。【００７２】
受信した情報が発信者の音声を示す音声信号である場合には、携帯電話装置１におけるＣＰＵ２の発言音声出力制御手段２１は発言者の音声をスピーカー１２に出力するとともに、受信情報に含まれる発言者の電話番号に基づいて電話帳リストから発言者の名前を識別し、表示制御部９を制御して、発言者の名前を表示部１０に出力する（ステップＳ４）。【００７３】
次いで、発言回数カウントアップ手段２２は、携帯電話装置１の電話帳リストに列記されている者の中から発言者の発言回数をカウントアップする（ステップＳ５）。【００７４】
その後、携帯電話装置１がＰＴＴ通信終了信号を受信するまで、上述のステップＳ２乃至ステップＳ５を繰り返す。【００７５】
携帯電話装置１が受信した情報がＰＴＴ通信の終了を指示するＰＴＴ通信終了信号である場合には（ステップＳ３）、ＰＴＴ通信終了手段２３はサーバとの間のセッションを解放するなど、従来のＰＴＴ通信の終了処理を行う（ステップＳ６）。【００７６】
その後、電話帳リスト並べ替え手段２４は、電話帳リストにおける登録者の発言回数の多い順に電話帳リストを並べ替える。【００７７】
以上の処理により、携帯電話装置１の電話帳リストは、ＰＴＴ通信における発言回数の多い登録者の順に並べ替えられることになる。【００７８】
その結果、次回のＰＴＴ通信開始処理において、携帯電話装置１で参照する電話帳リストから発言回数の多い人を見つけるのに、手間がかからないという効果がある。【００７９】
さらに、本実施形態に係る携帯電話装置１においては、不揮発メモリ５に格納されている電話帳リストの並べ替えはＰＴＴ通信終了時に行われるため、次回のＰＴＴ通信開始処理において参照する電話帳リストを早く表示することが可能になるという効果もある。【００８０】
図４は、既にＰＴＴ通信が行われた状態において、不揮発メモリ５に格納されている電話帳リストを表示部１０に表示した時の画面の一例である。【００８１】
この例においては、電話帳リストにＡからＧまでの７名が登録されているものとする。【００８２】
図５は、図４に示した画面を表示部１０に表示した際に不揮発メモリ５に格納されている電話帳リストにおける登録者毎の発言回数の一例を表した図である。図５では、アルファベット順の登録者の順に発言回数が多いことが分かる。すなわち、Ａの発言回数は５回、Ｂの発言回数は３回、Ｃ、Ｄ、Ｅ、Ｆ及びＧの発言回数は各１回である。【００８３】
図６は、図５に示した状態からＰＴＴ通信をさらに１回行った際の、不揮発メモリ５に格納されている電話帳リストにおける登録者毎の発言回数を示す図である。【００８４】
すなわち、図５に示した状態から次に行った１回のＰＴＴ通信において、Ａは３回、Ｄは１回、Ｇは２回の発言を行ったことを示している。【００８５】
図７は、ＰＴＴ通信終了手段２３によるＰＴＴ通信終了時において、不揮発メモリ５に格納されている電話帳リストを電話帳リスト並べ替え手段２４によって発言回数の多い順に並べ替えた状態を示している。【００８６】
図８は、図７に示した、不揮発メモリ５に格納されている電話帳リストを表示部１０に表示した図である。【００８７】
図８に示すように、電話帳リスト並べ替え手段２４によって発言回数の多い順に並べ替えられた順番に、すなわち、Ａ、Ｂ、Ｇ、Ｄ、Ｃ、Ｅ、Ｆの順番に各登録者が表示されている。【００８８】
以上の本実施形態の説明においては、電子通信機器が携帯電話装置である場合について説明したが、本実施形態はＰＨＳその他の携帯端末装置に対しても適用することが可能である。すなわち、ＰＨＳその他の携帯端末装置においても、発言回数を基にして電話帳リストを並べ替えることにより、上記の実施形態と同様の効果を得ることができる。【００８９】
また、以上の本実施形態の説明においては、電話帳リスト並べ替え手段２４は、発言回数を基にして電話帳リストを並べ替えるものとして説明したが、電話帳に登録されている参加者の発言の時間順に電話帳リストを並べ替えるようにすることも可能である。【００９０】
また、以上の本実施形態の説明においては、電話帳リスト並べ替え手段２４は、発言回数を基にして電話帳リストを並べ替えることを説明したが、発言回数が多い人の電話帳リストにおける名前等を所定の色（例：赤色）に変えて表示することも可能である。【００９１】
また、以上の本実施形態の説明においては、電話帳リスト並べ替え手段２４は、発言回数を基にして電話帳リストを並べ替えることを説明したが、発言回数が多い人のアイコンや画像を電話帳リストに付随させ、電話帳リストの参照時にそれらを表示することも可能である。【００９２】
また、発言回数を基にして電話帳リスト並べ替え手段２４が電話帳リストを並べ替えるか否かの設定手段を設け、ユーザーに選択させるようにすることもできる。例えば、表示部１０の画面に「電話帳リストを発言回数の順に並べ替えるか否か」の質問を表示し、ユーザーがＹＥＳを入力した場合のみ、電話帳リストを並べ替えるようにすることもできる。【００９３】
また、以上の本実施形態に係る携帯電話装置１においては、参加者毎の発言回数そのものを表示していないが、発言者の名前とともに表示部１０に発言回数や発言回数をグラフ化したものを表示するようすることもできる。【００９４】
また、以上の本実施形態の説明においては、ＰＴＴ通信終了後に電話帳リストを並べ替える場合について説明したが、電話帳リストを表示する機能を起動する際に並べ替えるようにすることもできる。あるいは、ユーザによる定められたキー入力により、電話帳リスト並べ替え手段２４が任意のタイミングで電話帳リストの並べ替えを行うことができるように構成することも可能である。
【産業上の利用可能性】
【００９５】
本発明は、携帯電話装置のみならず、ＰＨＳその他の携帯端末装置に対しても適用することが可能である。すなわち、ＰＨＳその他の携帯端末装置においても、発言回数を基にして電話帳リストを並べ替えることにより、本発明と同様の効果を得ることができる。【００９６】
上述の実施形態においては、ＰＴＴ通信開始処理において、電子通信機器で参照する電話帳リストから発言回数の多い人を見つけるのに、手間がかからないようにする方法について説明したが、本発明は、これに限定されるものでなく、電話機による会議システムなどにも同様に適用できることはいうまでもない。
【図１】
2007026600.tif 000002
【図２】
2007026600.tif 000003
【図３】
2007026600.tif 000004
【図４】
2007026600.tif 000005
【図５】
2007026600.tif 000006
【図６】
2007026600.tif 000007
【図７】
2007026600.tif 000008
【図８】
2007026600.tif 000009
【国際調査報告】
2007026600.tif 000010
2007026600.tif 000011